(57)【要約】【課題】水槽カバー内側の開口を狭めることなく洗濯物の水浸かりを早める給水ができるようにする。【解決手段】水槽カバー１５の脱水槽９を覆う張出部１５ａに、水受部１９と流路２０，２１及び出水口部２２，２３を設け、供給される水を水受部１９で受けて、該水受部１９から異なる複数の方向に延びた流路２０，２１に水が流れ、そして、その流路２０，２１の各先端部に存在する出水口部２２，２３から水を出させて脱水槽９の内部に給水できるようにした。それにより、脱水槽９の内部に置かれた洗濯物に広範囲で直接水をかけることができ、よって、その広範囲の洗濯物に水を直接浸透させ得、洗濯物の水浸かりを早めることができる。【選択図】図１
2010268843.tif 000002
【特許請求の範囲】
【請求項１】
脱水槽を収容する水槽の上縁部に、脱水槽を覆う部分を有する水槽カバーを具え、
この水槽カバーの前記脱水槽を覆った部分に、
供給される水を受ける水受部と、
この水受部から異なる複数の方向に延びて該水受部で受けた水をそれぞれに流す流路と、
この流路の各先端部にあって、流路を流れた水を前記脱水槽の内部に向けて出させる出水口部と、
を設けたことを特徴とする脱水兼用洗濯機。
【請求項２】
水受部が、給水パイプにより供給される水を受けるものであって、その給水パイプと水受部との間を離間させて大気に開放していることを特徴とする請求項１記載の脱水兼用洗濯機。
【請求項３】
水受部が、流路に向かって下降する傾斜状を成していることを特徴とする請求項１又は２記載の脱水兼用洗濯機。
【請求項４】
異なる複数の方向に延びた流路の分水嶺部分に、その流路の各延び方向に漸降する傾斜面を有することを特徴とする請求項１ないし３のいずれかに記載の脱水兼用洗濯機。
【請求項５】
異なる複数の方向に延びる流路を、異なる長さで有することを特徴とする請求項１ないし４のいずれかに記載の脱水兼用洗濯機。
【請求項６】
出水口部を、それぞれ複数の出水口で形成していることを特徴とする請求項１ないし５のいずれかに記載の脱水兼用洗濯機。
【請求項７】
出水口部が、複数の出水口をそれぞれに隔離して有することを特徴とする請求項６記載の脱水兼用洗濯機。
【請求項８】
出水口部が、複数の出水口を放射状に有することを特徴とする請求項７記載の脱水兼用洗濯機。
【請求項９】
出水口部が、複数の出水口を水平方向に指向させて有することを特徴とする請求項１ないし８のいずれかに記載の脱水兼用洗濯機。
【請求項１０】
流路を、水受部から延びる主流路と、出水口部の複数の出水口に連なる複数の分配流路とで構成し、そのうちの外側の分配流路より内側の分配流路を高くする段差を設けたことを特徴とする請求項６ないし９のいずれかに記載の脱水兼用洗濯機。
【請求項１１】
流路を、水受部から延びる主流路と、出水口部の複数の出水口に連なる複数の分配流路とで構成し、その分配流路の先端側を反先端側より狭隘にしていることを特徴とする請求項６ないし１０のいずれかに記載の脱水兼用洗濯機。
【請求項１２】
流路を、水受部から延びる主流路と、出水口部の複数の出水口に連なる複数の分配流路とで構成し、そのうち最も内側の分配流路から最も外側の分配流路にかけてそれらの流路断面積を漸次大きくしたことを特徴とする請求項６ないし１１のいずれかに記載の脱水兼用洗濯機。
【発明の詳細な説明】
【技術分野】
【０００１】
本発明は、給水構造を改良した脱水兼用洗濯機に関する。
【背景技術】
【０００２】
従来より、脱水兼用洗濯機においては、脱水槽を収容する水槽の上方に給水弁や給水ケース、並びに給水パイプ等から成る給水装置を具え、この給水装置の給水パイプから脱水槽の内部に向かって真下に水を落として給水するようになっている。
このため、脱水槽の内部に置かれた洗濯物には、上記給水装置の給水パイプの真下に位置するものにしか直接水がかからず、その一部の洗濯物のみに水が直接浸透し、それより周りの洗濯物には徐々に水が浸透していくしかなくて、洗濯物の水浸かりが遅いという問題点を有していた。
【０００３】
これに対して、水槽の上縁部に設ける環状の水槽カバーの内周部の全周に水路を増設して、その水路の底部の複数個所に存する注水孔を通して、又は水路の内周部より溢れさせて、それぞれ脱水槽の内部に給水するようにしたものがある（例えば特許文献１、２参照）。
【先行技術文献】
【特許文献】
【０００４】
【特許文献１】特開平９−２８５６８６号公報
【特許文献２】特開平９−３０８７９７号公報
【発明の概要】
【発明が解決しようとする課題】
【０００５】
上述の、水槽カバーの内周部の全周に増設した水路より脱水槽の内部に給水するようにしたものによれば、脱水槽の内部に置かれた洗濯物には、広範囲で直接水をかけることができ、よって、その広範囲の洗濯物に水を直接浸透させ得、洗濯物の水浸かりを早めることができる。
しかしながら、水槽カバーの内周部の全周に増設した水路のために、水槽カバー内側の洗濯物通り口というべき開口が狭くなり、洗濯物の出し入れがしにくくなるという欠点を有していた。
【０００６】
本発明は上述の事情に鑑みてなされたものであり、従ってその目的は、水槽カバー内側の開口を狭めることなく洗濯物の水浸かりを早める給水ができる脱水兼用洗濯機を提供するにある。
【課題を解決するための手段】
【０００７】
上記目的を達成するために、本発明の脱水兼用洗濯機においては、脱水槽を収容する水槽の上縁部に、脱水槽を覆う部分を有する水槽カバーを具え、この水槽カバーの前記脱水槽を覆った部分に、供給される水を受ける水受部と、この水受部から異なる複数の方向に延びて該水受部で受けた水をそれぞれに流す流路と、この流路の各先端部にあって、流路を流れた水を前記脱水槽の内部に向けて出させる出水口部とを設けたことを特徴とする（請求項１の発明）。
【発明の効果】
【０００８】
上記手段によれば、水槽カバーの脱水槽を覆った部分において、水受部から異なる複数の方向に延びた流路に水が流れ、そして、その流路の各先端部に存する出水口部から水を出させて脱水槽の内部に給水できるもので、それにより、脱水槽の内部に置かれた洗濯物に広範囲で直接水をかけることができ、よって、その広範囲の洗濯物に水を直接浸透させ得、洗濯物の水浸かりを早めることができる。
【０００９】
又、それでいて、上述の水受部と流路及び出水口部は水槽カバーの脱水槽を覆った部分に設けたものであり、その水槽カバーの脱水槽を覆った部分は給水パイプ接続口等の形成のために本来的に存在するもので、従来の、水槽カバーの内周部の全周に増設した水路のようには水槽カバー内側の開口を狭めることがない。よって、洗濯物の出し入れがしにくくなることを回避できる。
【図面の簡単な説明】
【００１０】
【図１】本発明の第１実施例を示す主要部分の下側からの斜視図
【図２】脱水兼用洗濯機全体の縦断側面図
【図３】主要部分の上側からの斜視図
【図４】シャワーケース単体の拡大斜視図
【図５】シャワーケース単体の拡大縦断側面図
【図６】シャワーケース単体の拡大平面図
【図７】シャワーケース単体の拡大正面図
【図８】シャワーケースの分配流路部分の拡大正面図
【図９】本発明の第２実施例を示す図８相当図
【発明を実施するための形態】
【００１１】
以下、本発明の第１実施例（第１の実施形態）につき、図１ないし図８を参照して説明する。
まず、図２には、脱水兼用洗濯機の全体構造を示しており、外箱１の内部に、水槽２を複数本（１本のみ図示）の吊り棒３及び複数個（これも１個のみ図示）のスプリング４を主体とする弾性支持機構５により弾性支持して配設している。水槽２は有底の円筒状を成すものであり、これの底部の外下方には、モータ（図示省略）を主体とする駆動装置６を取付けると共に、水槽２から排水するための排水弁７及び排水ホース８を配設している。
【００１２】
水槽２の内部には脱水槽９を収容しており、それを駆動装置６から水槽２の内部に突出した脱水軸１０に取付けている。脱水槽９は、これも有底の円筒状を成すものであり、その内下部には撹拌体１１を配設して、それを駆動装置６の上記脱水軸１０から脱水槽９の内部に突出した洗濯軸１２に取付けている。ここで、駆動装置６は、洗濯時に洗濯軸１２を介して撹拌体１１を回転させ、脱水時に脱水軸１０を介して脱水槽９を回転させるものであり、そのほか、乾燥時にも洗濯軸１２を介して撹拌体１１を回転させるものである。水槽２の後方部（図２で右側）には乾燥のための排気ダクト１３を設けている。
【００１３】
脱水槽９の上縁部には、この場合、液体封入形のバランサ１４を装着しており、それより上方の水槽２の上縁部には、水槽カバー１５を装着している。水槽カバー１５は、図１及び図３に示すように、環状を成すものであり、その後部には前縁部が直辺状を成す張出部１５ａを有している。この張出部１５ａは脱水槽９を覆う部分であり、中央部に給水パイプ接続口１６と給風パイプ接続口１７とを有している。
【００１４】
上記張出部１５ａの裏側には、シャワーケース１８を取付けている。このシャワーケース１８は、詳細には図４に示すように、全体として上面が開放する扁平な容器状に形成したもので、最後側（図４で中央上側）に水受部１９を有し、この水受部１９の前側に水受部１９から異なる複数の方向である、この場合、左右の２方向に延びる流路２０，２１を有し、そして、その流路２０，２１の各先端部に出水口部２２，２３を有している。
【００１５】
しかして、水受部１９は、半楕円形にて、流路２０，２１に向かって下降する傾斜状（図５参照）を成すものであり、流路２０，２１の分水嶺部分である共通の基端部には、図４に示すように、山形で且つ水受部１９側とは反対側方向に先細状を成す隆起部２４によって、流路２０，２１の各延び方向に漸降する傾斜面２５，２６を形成している。又、流路２０，２１はその長さを異ならせており、具体的には、この場合、左側の流路２０を長くし、右側の流路２１を短くしている。
【００１６】
出水口部２２，２３は、それぞれ複数（この場合４つ）の出水口２２ａ〜２２ｄ，２３ａ〜２３ｄで形成しており、その各出水口２２ａ〜２２ｄ，２３ａ〜２３ｄはそれぞれＹ字形の隔壁２７と間隙２８とによって個々に隔離させると共に、放射状に指向させている。又、各出水口２２ａ〜２２ｄ，２３ａ〜２３ｄは、水平方向に指向させてもいる。
【００１７】
そして又、流路２０，２１は、前記水受部１９から延びる主流路２０ａ，２１ａと、上記出水口部２２，２３の各出水口２２ａ〜２２ｄ，２３ａ〜２３ｄに連なる複数の分配流路２０ｂ〜２０ｅ，２１ｂ〜２１ｅとで構成しており、更に、図５ないし図８に示すように、そのうちのそれぞれ外側の分配流路２０ｂ，２０ｃ、２１ｂ，２１ｃより内側の分配流路２０ｄ，２０ｅ、２１ｄ，２１ｅを高くする段差２９，３０を、この場合、流路２０，２１の前記分水嶺部分から内側の分配流路２０ｄ，２０ｅ、２１ｄ，２１ｅにかけて設けている。
【００１８】
又、その段差２９，３０により、外側の分配流路２０ｂ，２０ｃ、２１ｂ，２１ｃの流路断面積を内側の分配流路２０ｄ，２０ｅ、２１ｄ，２１ｅの流路断面積より大きくしている（図８参照）。更に、分配流路２０ｂ〜２０ｅ，２１ｂ〜２１ｅの各先端側は、前記Ｙ字形の隔壁２７によって、先端側とは反対側すなわち反先端側より狭隘にしている（図６参照）。
【００１９】
そのほか、シャワーケース１８には、流路２０，２１の主流路２０ａ，２１ａに１ないし複数の水抜き孔３１を形成しており、更に、全体の外周部に、シャワーケース１８を前記水槽カバー１５の張出し部１５ａに例えばねじによって取付けるための複数の取付部３２を形成しており、このシャワーケース１８の取付けによって、水槽カバー１５の張出し部１５ａ（脱水槽９を覆った部分）に、水受部１９と流路２０，２１及び出水口部２２，２３を設けている。
【００２０】
前記図２には、前記外箱１の最上部に被着したトップカバー３３を示しており、このトップカバー３３には、中央部に洗濯物出入口３４を形成すると共に、その洗濯物出入口３４を開閉する例えば二つ折りの蓋３５を取付けている。なお、蓋３５は、詳しくは図示しないが、前記排気ダクト１３から機外への排気のために多孔状を成している。又、このトップカバー３３の前部の内方には制御装置３６を取付けており、他方、後部にはリヤボックス部３７を設け、このリヤボックス部３７の内部に、給水弁３８と、給水ケース３９、及び給水パイプ４０を配設すると共に、温風供給装置４１を配設している。
【００２１】
上記給水弁３８は図示しない水道の蛇口に接続ホースを介し接続されて水道水が供給されるものであり、その出口に給水ケース３９を接続し、給水ケース３９に給水パイプ４０を接続している。そして、給水パイプ４０は前記水槽カバー１５（張出部１５ａ）の給水パイプ接続口１６に接続しており、その給水パイプ４０と上記シャワーケース１８の水受部１９との間は、間隙４２で示すように離間し、大気に開放するようにしている。
【００２２】
なお、給水ケース３９は、図３に示すように、柔軟仕上剤ケース（図示省略）をセットするためのセット口３９ａを有しており、そのセットした柔軟仕上剤ケース内の柔軟仕上剤は例えば上記給水弁３８とは別の給水弁（これも図示省略）を通じて供給される水道水により給水パイプ４０を介して脱水槽９の内部に供給されるようになっている。
【００２３】
又、温風供給装置４１は、詳しくは図示しないが、リヤボックス部３７の背部に設けた吸気口４３から外気を吸引して前記給風パイプ接続口１７に接続する給風パイプ（図示省略）を介して前記水槽２の内部に送風する送風機と、その風を熱して温風化するヒータを有しており、その温風により洗濯物の乾燥を行うようになっている。
そのほか、水槽カバー１５には、これの内側の洗濯物通り口である開口１５ｂを開閉する内蓋４４を設けている。
【００２４】
次に、上記構成のものの作用を述べる。
脱水槽９の内部に洗濯物を収容して行う洗濯（洗い及びすすぎ）のための給水時には、給水弁３８が開放されることによって、水道水が供給される。この供給された水道水は、給水ケース３９及び給水パイプ４０を介してシャワーケース１８の水受部１９に供給され、図４ないし図６に矢印で示すように、水受部１９上をその傾斜に沿い流れて、更に流路２０，２１の分水嶺部分に存在する隆起部２４の傾斜面２５，２６を流れ、流路２０，２１をそれぞれ主流路２０ａ，２１ａから分配流路２０ｂ〜２０ｅ，２１ｂ〜２１ｅの順に流れて、内側の分配流路２０ｄ，２０ｅ、２１ｄ，２１ｅでは段差２９，３０を越え、そして、出水口部２２，２３の各出水口２２ａ〜２２ｄ，２３ａ〜２３ｄから出て、脱水槽９の内部に向け供給される。
【００２５】
このように上記構成のものでは、水槽カバー１５の脱水槽９を覆った部分である張出部１５ａに設けた水受部１９から異なる複数の方向に延びた流路２０，２１に水が流れ、そして、その流路２０，２１の各先端部に有する出水口部２２，２３から水を出させて脱水槽９の内部に給水できるもので、それにより、脱水槽９の内部に置かれた洗濯物に広範囲で直接水をかけることができ、よって、その広範囲の洗濯物に水を直接浸透させ得、洗濯物の水浸かりを早めることができる。
【００２６】
又、それでいて、上述の水受部１９と流路２０，２１及び出水口部２２，２３は、水槽カバー１５の張出部１５ａ（脱水槽９を覆った部分）に設けたものであり、該張出部１５ａは給水パイプ接続口１６等の形成のために本来的に存在するもので、従来の、水槽カバー１５の内周部の全周に増設した水路のようには水槽カバー内側の開口を狭めることがない。よって、洗濯物の出し入れがしにくくなることを回避できる。
【００２７】
加えて、上記構成のものでは、水受部１９に給水弁３８から給水ケース３９を通じて給水パイプ４０により水が供給されるものとし、その給水パイプ４０と水受部１９との間を間隙４２により離間させて大気に開放している。これにより、シャワーケース１８に万一水詰まりを生じたときの、溢水を給水パイプ４０とシャワーケース１８との間の離間部分（間隙４２）から行わしめ得て、それより上流側の給水ケース３９等からリヤボックス部３７内に溢水を生じないようにできる。
【００２８】
又、上記構成のものでは、水受部１９を、流路２０，２１に向かって下降する傾斜状を成すものとしている。これにより、水受部１９から流路２０，２１にスムーズに水を流し移すことができる。
【００２９】
更に、異なる複数の方向に延びた流路２０，２１の分水嶺部分には、その流路２０，２１の各延び方向に漸降する傾斜面２５，２６を設けている。これによっても、流路２０，２１にスムーズに水を流し移すことができる。なお、この傾斜面２５，２６については、それらを山形で且つ水受部１９側とは反対側方向に先細状を成す隆起部２４によって形成しており、それにより流路２０，２１の各外周側（後側）が傾斜面が長く、流路２０，２１に向かって流れる水に外周側ほど勢いをつけ得るから、外周側を流れる水の速さを増して、一層広範囲の洗濯物に水を直接浸透させることができる。
【００３０】
又、複数の流路２０，２１は、異なる長さで有している。これにより、脱水槽９内の洗濯物に非対称に水をかけることができ、洗濯物の水浸かりを非対称にできる。しかも、給風パイプ接続口１７など他の部分あるいは他の部品等との関係位置を維持して流路２０，２１の配設が難なくできる。
【００３１】
又、出水口部２２，２３は、それぞれ複数の出水口２２ａ〜２２ｄ，２３ａ〜２３ｄで形成している。これにより、脱水槽９内の洗濯物の多くに水を直接浸透させることができて、洗濯物の水浸かりを一層早めることができる。
又、出水口部２２，２３は、複数の出水口を２２ａ〜２２ｄ，２３ａ〜２３ｄをそれぞれに隔離して有している。これにより、それぞれ複数の出水口を２２ａ〜２２ｄ，２３ａ〜２３ｄから出る水を出先でくっ付かせずに分散させて放出でき、もって脱水槽９内の洗濯物の多くに水をより確実に直接浸透させることができ、洗濯物の水浸かりを更に早めることができる。
【００３２】
更に、出水口部２２，２３は、複数の出水口を２２ａ〜２２ｄ，２３ａ〜２３ｄを放射状に有している。これによっても、それぞれ複数の出水口を２２ａ〜２２ｄ，２３ａ〜２３ｄから出る水を出先でくっ付かせず広角に放出できて、脱水槽９内の洗濯物の多くに水をより確実に直接浸透させることができ、洗濯物の水浸かりを更に早めることができる。
しかも、出水口部２２，２３は、複数の出水口を２２ａ〜２２ｄ，２３ａ〜２３ｄを水平方向に指向させて有している。これにより、それぞれ複数の出水口を２２ａ〜２２ｄ，２３ａ〜２３ｄから出る水をより遠くに飛ばすことができて、脱水槽９内の洗濯物の多くに水をより確実に直接浸透させることができ、洗濯物の水浸かりを更に早めることができる。
【００３３】
又、流路２０，２１は、水受部１９から延びる主流路２０ａ，２１ａと、出水口部２２，２３の複数の出水口２２ａ〜２２ｄ，２３ａ〜２３ｄに連なる複数の分配流路２０ｂ〜２０ｅ，２１ｂ〜２１ｅとで構成し、そのうちの外側の分配流路２０ｂ，２０ｃ、２１ｂ，２１ｃより内側の分配流路２０ｄ，２０ｅ、２１ｄ，２１ｅを高くする段差２９，３０を設けている。これにより、外側の分配流路２０ｂ，２０ｃ、２１ｂ，２１ｃから出る水の速度が、内側の分配流路２０ｄ，２０ｅ、２１ｄ，２１ｅ出る水の速度より高くなるので、これによっても、脱水槽９内の洗濯物の多くに水をより確実に直接浸透させることができ、洗濯物の水浸かりを更に早めることができる。
【００３４】
更に、流路２０，２１は、分配流路２０ｂ〜２０ｅ，２１ｂ〜２１ｅの先端側を反先端側より狭隘にしている。これにより、出水口２２ａ〜２２ｄ，２３ａ〜２３ｄから出る水の速度を高めることができて、脱水槽９内の洗濯物の多くに水をより確実に直接浸透させることができるので、やはり洗濯物の水浸かりを早めることができる。
【００３５】
以上に対して、図９は本発明の第２実施例（第２の実施形態）を示すもので、第１実施例と同一の部分には同一の符号を付して説明を省略し、異なる部分についてのみ述べる。
このものの場合、流路２０，２１の最も内側の分配流路２０ｅ，２１ｅから最も外側の分配流路２０ｂ，２１ｂにかけて、それらの流路断面積を漸次大きくしている。
【００３６】
このようにすることにより、脱水槽９内の洗濯物のうち、最も内側の分配流路２０ｅ，２１ｅに対応する洗濯物から最も外側の分配流路２０ｂ，２１ｂに対応する洗濯物にかけてかかる水の量を漸次多くできるので、外側の洗濯物ほど浸透する水の量を多くできて、洗濯物の水浸かりを早めることができる。
【００３７】
このほか、本発明は上記し且つ図面に示した実施例にのみ限定されるものではなく、特に水路１９と流路２０，２１及び出水口部２２，２３は、水槽カバー１５の張出部１５ａに、シャワーケース１８の取付けによってではなく、該張出部１５ａとの一体成形によって設けるようにしても良く、又、張出部１５ａの裏側ではなく、表側に、もしくはそれら裏側と表側との中間部に設けるようにしても良いなど、要旨を逸脱しない範囲内で適宜変更して実施し得る。
【符号の説明】
【００３８】
図面中、２は水槽、９は脱水槽、１５は水槽カバー、１５ａは張出部（脱水槽を覆った部分）、１８はシャワーケース、１９は水受部、２０，２１は流路、２０ａ，２１ａは主流路、２０ｂ〜２０ｅ，２１ｂ〜２１ｅは分配流路、２２，２３は出水口部、２２ａ〜２２ｄ，２３ａ〜２３ｄは出水口、２５，２６は傾斜面、２９，３０は段差、３８は給水パイプ、４２は間隙を示す。
【図１】
2010268843.tif 000003
【図２】
2010268843.tif 000004
【図３】
2010268843.tif 000005
【図４】
2010268843.tif 000006
【図５】
2010268843.tif 000007
【図６】
2010268843.tif 000008
【図７】
2010268843.tif 000009
【図８】
2010268843.tif 000010
【図９】
2010268843.tif 000011